【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
第１の通信装置と第２の通信装置とを含む通信システムであって、
前記第１の通信装置は、
送信元の端末のアドレスと宛先の端末のアドレスとを含むパケットの送受信をそれぞれおこなうための複数の第１のポートと、
前記複数の第１のポートのいずれかを介して受信したレイヤ２パケットまたはレイヤ３パケットである元パケットに、受信したポートを識別するための受信ポート情報を付加した受信ポート情報付き元パケットを前記第２の通信装置に転送する第１の転送制御部と、を備え、
前記第２の通信装置は、
前記第１の通信装置から前記受信ポート情報付き元パケットを受信する第２のポートと、
前記複数の第１のポートと前記複数の第１のポートのそれぞれに接続された端末との対応関係が少なくとも記録された第１のアドレステーブルが記憶された第１の記憶部と、
受信した前記受信ポート情報付き元パケットに含まれる受信ポート情報と前記送信元の端末のアドレスとに基づいて、前記複数の第１のポートと前記複数の第１のポートのそれぞれに接続された端末との対応関係を学習して前記第１のアドレステーブルに記録する学習部と、
受信した前記受信ポート情報付き元パケットに含まれる前記宛先の端末のアドレスと前記第１のアドレステーブルとに基づいて、前記第１の通信装置から転送された前記元パケットの送信をおこなう第１のポートを、前記複数の第１のポートの中から特定する送信ポート特定部と、
前記特定した送信ポート情報を前記元パケットに付加した送信ポート情報付き元パケットを前記第１の通信装置に転送する第２の転送制御部と、を備え、
前記第１の通信装置の第１の転送制御部は、
前記送信ポート情報付き元パケットを受信し、前記送信ポート情報付き元パケットに含まれる前記送信ポート情報に該当する前記第１のポートから、前記元パケットを送信する、
通信システム。
【請求項２】
請求項１に記載の通信システムであって、
前記第１の通信装置は、
更に、前記複数の第１のポートと前記複数の第１のポートのそれぞれに接続された端末のアドレスとの対応関係が記録された第２のアドレステーブルが記憶された第２の記憶部を備え、
前記第１の転送制御部は、前記第２のアドレステーブルに基づいて、前記元パケットの送信をおこなう第１のポートを、前記複数の第１のポートの中から特定した場合に、前記元パケットを前記特定された第１のポートの中から送信し、前記元パケットの送信をおこなう第１のポートを、前記複数の第１のポートから特定できない場合に、前記受信ポート情報付き元パケットを前記第２の通信装置に転送する、
通信システム。
【請求項３】
請求項１または請求項２に記載の通信システムであって、
前記通信システムは、リング状に接続された複数の前記第２の通信装置を備え、
前記第１の通信装置は、複数の前記第２の通信装置のうち少なくとも２台に接続されており、
前記第１の通信装置の第１の転送制御部は、
前記少なくとも２台の第２の通信装置の間の接続に障害が発生したことを検出した場合に、前記少なくとも２台の第２の通信装置の間に流れるパケットの中継をおこなう、
通信システム。
【請求項４】
請求項１から請求項３までのいずれか一項に記載の通信システムであって、
前記第１の通信装置と前記第２の通信装置との間にカスケード接続される少なくとも一台の第３の通信装置を備え、
前記第３の通信装置は、前記第１の通信装置と、前記第２の通信装置とを一体的に備える、
通信システム。
【請求項５】
請求項１から請求項４までのいずれか一項に記載の通信システムであって、
前記第２の通信装置は、
複数の端末に関するパケットの送信及び受信の少なくとも一方を制御するための送受信制御情報を備え、
前記第１の通信装置の第１の転送制御部は、
前記送受信制御情報の少なくとも一部の情報を取得し、前記一部の情報に基づいて、前記元パケットの送信及び受信の少なくとも一方を制御する、
通信システム。
【手続補正２】
【補正対象書類名】明細書
【補正対象項目名】発明の名称
【補正方法】変更
【補正の内容】
【発明の名称】通信システム
【手続補正３】
【補正対象書類名】明細書
【補正対象項目名】０００６
【補正方法】変更
【補正の内容】
【０００６】
本発明は、上述の課題の少なくとも一部を解決するためになされたものであり、以下の形態又は適用例として実現することが可能である。
本発明の第１の形態は、第１の通信装置と第２の通信装置とを含む通信システムであって、前記第１の通信装置は、送信元の端末のアドレスと宛先の端末のアドレスとを含むパケットの送受信をそれぞれおこなうための複数の第１のポートと、前記複数の第１のポートのいずれかを介して受信したレイヤ２パケットまたはレイヤ３パケットである元パケットに、受信したポートを識別するための受信ポート情報を付加した受信ポート情報付き元パケットを前記第２の通信装置に転送する第１の転送制御部と、を備え、前記第２の通信装置は、前記第１の通信装置から前記受信ポート情報付き元パケットを受信する第２のポートと、前記複数の第１のポートと前記複数の第１のポートのそれぞれに接続された端末との対応関係が少なくとも記録された第１のアドレステーブルが記憶された第１の記憶部と、受信した前記受信ポート情報付き元パケットに含まれる受信ポート情報と前記送信元の端末のアドレスとに基づいて、前記複数の第１のポートと前記複数の第１のポートのそれぞれに接続された端末との対応関係を学習して前記第１のアドレステーブルに記録する学習部と、受信した前記受信ポート情報付き元パケットに含まれる前記宛先の端末のアドレスと前記第１のアドレステーブルとに基づいて、前記第１の通信装置から転送された前記元パケットの送信をおこなう第１のポートを、前記複数の第１のポートの中から特定する送信ポート特定部と、前記特定した送信ポート情報を前記元パケットに付加した送信ポート情報付き元パケットを前記第１の通信装置に転送する第２の転送制御部と、を備え、前記第１の通信装置の第１の転送制御部は、前記送信ポート情報付き元パケットを受信し、前記送信ポート情報付き元パケットに含まれる前記送信ポート情報に該当する前記第１のポートから、前記元パケットを送信する、通信システムである。
このような構成であれば、第１の通信装置が備える第１の転送制御部が受信したレイヤ２パケットまたはレイヤ３パケットである元パケットに付加された受信ポート情報と、送信元の端末のアドレスとに基づいて、第２の通信装置が複数の第１のポートと複数の第１のポートのそれぞれに接続された端末との対応関係を学習し、第１のアドレステーブルに記録する。また、第２の通信装置が備える送信ポート特定部が、第１のアドレステーブルに基づいて、元パケットの送信をおこなう第１のポートを複数の第１のポートの中から特定し、特定した送信ポート情報が付加された元パケットを第１の通信装置に転送して、第１の通信装置が送信ポート情報に該当する第１のポートから元パケットを送信する。したがって、異なる性能を有する通信装置によってスタック型の通信システムを構築した場合においても、第２の通信装置が、第１の通信装置が受信したパケットに関する学習および送信ポートの特定を担うことができる。そのため、通信システムの性能が、性能の低い通信装置に影響されることを抑制し、広範囲のネットワークを通信システムによって一括に管理して、パケットを送信することができる。
【手続補正４】
【補正対象書類名】明細書
【補正対象項目名】００２４
【補正方法】変更
【補正の内容】
【００２４】
リーフＳＷ１およびノードＳＷ２は、ＯＳＩ参照モデルにおける第２層（データリンク層）のパケットであるレイヤ２（Ｌ２）パケットを転送する通信装置として機能する。レイヤ２パケットは、イーサネット（登録商標）フレームともいう。また、リーフＳＷ１およびノードＳＷ２は、ＯＳＩ参照モデルにおける第３層（ネットワーク層）のパケットであるレイヤ３（Ｌ３）パケットを転送する通信装置として機能することもできる。したがって、リーフＳＷ１およびノードＳＷ２が接続された通信システム１００は、レイヤ２パケットを転送する仮想的な１台の通信装置あるいはレイヤ３パケットを転送する仮想的な１台の通信装置として機能することが可能である。
【手続補正５】
【補正対象書類名】明細書
【補正対象項目名】００６０
【補正方法】変更
【補正の内容】
【００６０】
宛先ＭＡＣアドレス４０１に対応するポート情報がアドレステーブル１２１に記憶されていると（ステップＳ１３：Ｙｅｓ）、送信ポート特定部１１３は、アドレステーブル１２１の中から、宛先である端末３０２のＭＡＣアドレス「ＭＡＣ４」に対応するポート情報「１ｂ」を特定する。第１の転送制御部１１５は、その特定されたポートから、元パケット４１０を宛先へ転送する（ステップＳ３２）。すなわち、第１の転送制御部１１５は、上述した第１実施例においてノードＳＷ２１が備える第２の転送制御部２１５が有する機能と、同様の機能を備える。